(57)【要約】【課題】高い意匠性を持ちつつその歩留まりを高めた扉付の冷蔵庫の提供。【解決手段】ガラス板２５と内箱フレーム２３と扉縁枠２４との間の空間に発泡ウレタン２９を充填して扉を構成し、この扉の前記透明前板２５の内面に発泡ウレタン２９が薄く固形化する部位の前記加飾フィルム２７のウレタン側には、ウレタンとの接着性が悪い剥離テープ３６を設けた構成としてある。これにより、多彩かつ繊細な模様付きの意匠性の高い扉とすることができるとともに、透明前板との間に発泡ウレタンが薄く入り込んで加飾フィルムが変形しやすい部位があったとしても当該部分の加飾フィルムと発泡ウレタンとの間に設けてある剥離テープが、前記発泡ウレタンの固形収縮による局所的な応力を緩和するようになって加飾フィルムの模様変形等を抑制することができ、歩留まりを大きく向上させることができる。【選択図】図１３
2018004087.tif 000002
【特許請求の範囲】
【請求項１】
断熱性を有する冷蔵庫本体と扉を備え、前記扉は、冷蔵庫本体の内側に位置する内箱フレームと、前記内箱フレームを覆うようにその内箱フレームの扉縁枠に配置した透明前板と、前記透明前板の内面に貼り付けた加飾フィルムと、前記透明前板の加飾フィルムと内箱フレームと扉縁枠との間の空間に充填発泡させたウレタンとからなり、前記透明前板はその加飾フィルムを前記ウレタンに接着させて保持するとともに、前記透明前板の内面に発泡ウレタンが薄く固形化する部位の前記加飾フィルムのウレタン側にウレタンとの接着性が悪い剥離テープを設けた冷蔵庫。
【請求項２】
透明前板の内面に発泡ウレタンが薄く固形化する部位は扉外周のコーナ部であって、当該コーナ部に剥離テープを設けた請求項１記載の冷蔵庫。
【請求項３】
透明前板の内面に発泡ウレタンが薄く固形化する部位は透明前板の内面に設置される手掛け部や表示部等の枠体の外周部であって、当該枠体の外周部に剥離テープを設けた請求項１記載の冷蔵庫。
【請求項４】
透明前板の内面に発泡ウレタンが薄く固形化する部位は透明前板を扉縁枠に接着固定する両面テープの突合せ端縁に生じる隙間であって、当該隙間部分に剥離テープを設けた請求項１記載の冷蔵庫。
【発明の詳細な説明】
【技術分野】
【０００１】
本発明は冷蔵庫に関し、特に冷蔵庫の扉構成に関するものである。
【背景技術】
【０００２】
近年、冷蔵庫はその扉にガラス板を用いて外観意匠を高め品位を向上させたものが多くみられるようになってきた。このような冷蔵庫の扉は、扉を構成するガラス板と内箱フレームと扉縁枠との間にウレタンを発泡充填して構成してある。
【０００３】
そして、更にこの冷蔵庫の中には、扉周縁部に設けてあるガラス板支持枠部を無くして更にその意匠性を向上したものが見られる。
【０００４】
このように意匠を向上させた冷蔵庫において、出願人は、更にガラス板を加飾フィルム付きのガラス板として、その意匠性を大きく向上させたものを提案している（例えば、特許文献１参照）。
【０００５】
図１５は上記特許文献１記載の扉を示し、この扉１００は、ガラス板１０１の内面に加飾フィルム１０２を接着し、このガラス板１０１の加飾フィルム１０２と内箱フレーム１０３と扉縁枠１０４との間にウレタン１０５を充填発泡させて構成してある。そして上記ガラス板１０１はその外周を覆うガラス板挿入部を設けることなくそのまま露出状態として両面テープ１０６により扉縁枠１０４に接着し、ウレタン１０５による接着と合わせて強固な接着固定を実現している。
【先行技術文献】
【特許文献】
【０００６】
【特許文献１】特開２０１４−２３８１８８号公報
【発明の概要】
【発明が解決しようとする課題】
【０００７】
上記特許文献１記載の扉１００は、加飾フィルム１０２を用いているので、ガラス板１０１の装飾を多彩かつ繊細なものとすることができ、しかも、ガラス板１０１の外周にガラス板挿入部が存在しないので、その意匠性が飛躍的に向上し、冷蔵庫の品位を大きく高めることができる。
【０００８】
しかしながら、上記扉１００は、ガラス板１０１と扉縁枠１０４との間に充填したウレタン１０５が発泡するとき、ウレタン１０５が薄く固形化する微細な隙間部分があると、前記加飾フィルム１０２の当該部分に局所応力がかかって加飾フィルム１０２が歪みその模様が変形する等の外観不良を引き起こすことがあった。
【０００９】
例えば、扉縁枠１０４は水平扉内枠と垂直扉縁枠を突合せ接合して構成してあるが、この突合せ接合部にわずかな隙間が残っているものがあり、この隙間部位にウレタンが入り込んで薄く固形化すると、ウレタンの接着力が強いこともあってその固形時の収縮等により加飾フィルム１０２に局所的な応力が加わり、当該部分で加飾フィルム１０２に歪が生じて模様変形等の外観不良が生じる。
【００１０】
或いは、扉１００に手掛け部１０７を設けていると、この手掛け枠部用の枠体１０７ａ外周部分Ｘにはガラス板２５との間にわずかな隙間が生じ、この部位にウレタン１０５が入り込んで発泡し薄く固形化すると、その時の収縮等によって加飾フィルム１０２に局所
的な応力が加わり、当該部分で加飾フィルム１０２が歪んで模様変形が生じるのであった。
【００１１】
このようなことは、ガラス板１０１の内面に表示部を設けたときにもその表示部用枠体の外周部とガラス板１０１との間で生じることがあった。
【００１２】
更に、上記加飾フィルム１０２の模様変形等はガラス板１０１の周縁部を扉縁枠１０４に接着する両面テープ１０６の貼り付け部分でも生じることがあった。すなわち、上記両面テープ１０６は、ガラス板１０１の長短両辺に沿って貼り付けてあるが、水平方向に貼り付けた両面テープと上下方向に貼り付けた両面テープの突合せ端縁に貼付けバラツキによるわずかな隙間が生じ、この隙間部分にウレタン１０５が入り込んで薄く固形化するために加飾フィルム１０２の模様変形等が生じていた。
【００１３】
そのため、この扉１００は多彩かつ繊細な模様を付して意匠性を大きく向上させることができるものの歩留まりが悪い、という課題があった。
【００１４】
本発明はこのような点に鑑みてなしたもので、高い意匠性を持たせつつその歩留まりを高めた扉付の冷蔵庫の提供を目的としたものである。
【課題を解決するための手段】
【００１５】
本発明は上記目的を達成するため、扉は、冷蔵庫本体の内側に位置する内箱フレームと、前記内箱フレームを覆うようにその内箱フレームの扉縁枠に配置した透明前板と、前記透明前板の内面に貼り付けた加飾フィルムと、前記透明前板の加飾フィルムと内箱フレームと扉縁枠との間の空間に充填発泡させたウレタンとからなり、上記透明前板はその加飾フィルムを前記ウレタンに接着させて保持するとともに、前記透明前板の内面に発泡ウレタンが薄く固形化する部位の前記加飾フィルムのウレタン側にウレタンとの接着性が悪い剥離テープを設けた構成としてある。
【００１６】
これにより、扉を多彩かつ繊細な模様付きのものとすることができて意匠性の高い外観とすることができるとともに、透明前板との間に発泡ウレタンが薄く入り込んで固形化し加飾フィルムが変形しやすい部位があったとしても、当該部分の加飾フィルムと発泡ウレタンとの間にはウレタンとの接着性が悪い剥離テープが設けてあるので、発泡ウレタンの固形収縮による局所的な応力はこの剥離テープで緩和するようになって加飾フィルムに加わるのを抑制することができる。したがって、加飾シートが局所応力で歪んで模様が変形等するのを防止でき、歩留まりを大きく向上させることができる。しかも、上記剥離テープは加飾フィルムの模様が変形等するごく一部に設ければよいから、当該剥離テープを設けたことによって生じる透明前板とウレタンとの接着面積の減少はごくわずかなものとなり、ウレタンによる加飾フィルムの接着強度、すなわち透明前板の接着強度は従来とほぼ同レベル程度の強力なものに維持することができる。つまり、透明前板と発砲ウレタンとの接着強度を維持しつつ加飾フィルムの模様変形等を防止して歩留まりを向上させることができる。
【発明の効果】
【００１７】
本発明は、上記構成によって、高い意匠性を持ちつつ、歩留まりのよい扉付の冷蔵庫を提供することができる。
【図面の簡単な説明】
【００１８】
【図１】本発明の実施の形態１における冷蔵庫の外観斜視図
【図２】同冷蔵庫の断面図
【図３】同冷蔵庫の扉の一つを示す斜視図
【図４】同冷蔵庫の扉の分解斜視図
【図５】同冷蔵庫の扉を示す図３のＡ−Ａ断面図
【図６】同冷蔵庫の扉を示す図３のＢ−Ｂ断面図
【図７】同冷蔵庫の扉を示す図３のＣ−Ｃ断面図
【図８】同冷蔵庫の図７に示す扉の扉端部を示す拡大断面図
【図９】同冷蔵庫の扉におけるガラス板から発泡ウレタンまでの積層状態を説明する模式図
【図１０】同冷蔵庫の扉縁枠の構成を説明する説明図
【図１１】同冷蔵庫の扉縁枠に対するテープ貼り状態を説明する説明図
【図１２】同冷蔵庫の扉外周コーナ部を示す拡大断面図
【図１３】同冷蔵庫の扉に設けてある表示部の外周部構成を示す断面図
【図１４】本発明の実施の形態２に置ける冷蔵庫の扉のテープ貼り部分を示す拡大正面図
【図１５】従来の冷蔵庫における扉の断面図
【発明を実施するための形態】
【００１９】
第１の発明は、断熱性を有する冷蔵庫本体と扉を備え、前記扉は、冷蔵庫本体の内側に位置する内箱フレームと、前記内箱フレームを覆うようにその内箱フレームの扉縁枠に配置した透明前板と、前記透明前板の内面に貼り付けた加飾フィルムと、前記透明前板の加飾フィルムと内箱フレームと扉縁枠との間の空間に充填発泡させたウレタンとからなり、前記透明前板はその加飾フィルムを前記ウレタンに接着させて保持するとともに、前記透明前板の内面に発泡ウレタンが薄く固形化する部位の前記加飾フィルムのウレタン側にウレタンとの接着性が悪い剥離テープを設けた構成としてある。
【００２０】
これにより、扉を多彩かつ繊細な模様付きのものとすることができて意匠性の高い外観とすることができるとともに、透明前板との間に発泡ウレタンが薄く入り込んで固形化し加飾フィルムが変形しやすい部位があったとしても、当該部分の加飾フィルムと発泡ウレタンとの間にはウレタンとの接着性が悪い剥離テープが設けてあるので、発泡ウレタンの固形収縮による局所的な応力はこの剥離テープで緩和するようになって加飾フィルムに加わるのを抑制することができる。したがって、加飾フィルムが局所応力で歪んで模様が変形等するのを防止でき、歩留まりを大きく向上させることができる。しかも、上記剥離テープは加飾フィルムの模様が変形等するごく一部に設ければよいから、当該剥離テープを設けたことによって生じる透明前板とウレタンとの接着面積の減少はごくわずかなものとなり、ウレタンによる加飾フィルムの接着強度、すなわち透明前板の接着強度は従来とほぼ同レベル程度の強力なものに維持することができる。つまり、透明前板と発砲ウレタンとの接着強度を維持しつつ加飾フィルムの模様変形等を防止して歩留まりを向上させることができる。
【００２１】
第２の発明は、第１の発明において、前記透明前板の内面に発泡ウレタンが薄く固形化する部位は扉外周のコーナ部であって、当該コーナ部に剥離テープを設けた構成としてある。
【００２２】
これにより、扉外周コーナ部での加飾フィルムの外観不良を防止でき、歩留まりを向上させることができる。
【００２３】
第３の発明は、第１の発明において、前記透明前板の内面に発泡ウレタンが薄く固形化する部位は透明前板の内面に設置される手掛け部や表示部等の枠体の外周部であって、当該枠体の外周部に剥離テープを設けた構成としてある。
【００２４】
これにより、手掛け部や表示部等の目立ちやすい部位での加飾フィルムの外観不良を防
止でき、歩留まりを向上させることができる。
【００２５】
第４の発明は、第１の発明において、前記透明前板の内面に発泡ウレタンが薄く固形化する部位は透明前板を扉縁枠に接着固定する両面テープの突合せ端縁に生じる隙間であって、当該隙間部分に剥離テープを設けた構成としてある。
【００２６】
これにより、透明前板の接着固定を強化しつつ、透明前板を扉縁枠に接着する両面テープの突合せ部分での加飾フィルムの外観不良を防止して、歩留まりを向上させることができる。
【００２７】
以下、本発明の実施の形態について、図面を参照しながら説明する。なお、この実施の形態によって本発明が限定されるものではない。
【００２８】
（実施の形態１）
図１は本発明の実施の形態１における冷蔵庫の外観斜視図、図２は同冷蔵庫の断面図、図３は同冷蔵庫の扉の一つを示す斜視図、図４は同冷蔵庫の扉の分解斜視図、図５は同冷蔵庫の扉を示す図３のＡ−Ａ断面図、図６は同冷蔵庫の扉を示す図３のＢ−Ｂ断面図、図７は同冷蔵庫の扉を示す図３のＣ−Ｃ断面図、図８は同冷蔵庫の図７に示す扉の扉端部を示す拡大断面図、図９は同冷蔵庫の扉におけるガラス板から発泡ウレタンまでの積層状態を説明する模式図、図１０は同冷蔵庫の扉縁枠の構成を説明する説明図、図１１は同冷蔵庫の扉縁枠に対するテープ貼り状態を説明する説明図、図１２は同冷蔵庫の扉外周コーナ部を示す拡大断面図、図１３は同冷蔵庫の扉に設けてある表示部の外周部構成を示す断面図である。
【００２９】
図１、図２において、冷蔵庫本体１は、前方に開口する金属製（例えば鉄板）の外箱２と、硬質樹脂製（例えばＡＢＳ）の内箱３と、これら外箱２と内箱３との間に発泡充填した硬質の発泡ウレタン４からなる。上記冷蔵庫本体１はその内部に、冷蔵室５と、冷蔵室５の下に位置する切替室６及び切替室６の横に並設した製氷室７と、切替室６及び製氷室７の下部に位置する冷凍室８と、冷凍室８の下部に位置する野菜室９とを有する。また、前記冷蔵室５の前面は、例えば観音開き式の扉１０，１０により開閉自由に閉塞し、切替室６及び製氷室７と冷凍室８と野菜室９の前面部は引き出し式の扉１１，１２，１３，１４によって開閉自由に閉塞してある。
【００３０】
冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００３１】
ここで、上記各扉１０〜１４は冷蔵庫本体１と同様硬質のウレタンを発泡充填して断熱性を持たせてあり、更に意匠性を向上させるべくその前面をガラス板等の透明前板で構成してある。
【００３２】
以下、扉１０を例にしてその構成について図３〜図１２を用いて説明する。なお、扉１０以外の扉１１〜１４も同様の構成である。
【００３３】
図３〜図１３において、２３は冷蔵庫本体１の内側に位置することになる内箱フレームで、例えばＡＢＳ樹脂で形成してある。２４はこの内箱フレーム２３の周端面に結合固定した扉縁枠で、ＡＢＳ樹脂で形成してある。２５は前記内箱フレーム２３を覆うようにその扉縁枠２４に積層配置したガラス板等の透明前板（以下、ガラス板と称す）で、この実
施の形態では光沢のある強化ガラス板で形成してある。
【００３４】
このガラス板２５は図９に示すようにその内面に粘着剤２６を介して加飾フィルム２７を貼り付けてある。上記加飾フィルム２７は、ガラス板２５側の面に着色層２８−１、ガラス板２５と反対側の後述する発泡ウレタン側の面にヘアーライン２８−２が形成してある。これによって、前記ガラス板２５は、あたかもヘアーライン付き着色ガラス板となる。前記加飾フィルム２７はこの実施の形態では透明性が高く機械的強度の高いポリエチレンテレフタレートを用い、着色層２８−１はガラス板側、ヘアーライン２８−２は発泡ウレタン側に印刷形成してある。
【００３５】
２９は前記ガラス板２５の加飾フィルム２７側の面と内箱フレーム２３と扉縁枠２４との間の空間に充填発泡させた硬質のウレタンで、発泡によって内箱フレーム２３及び扉縁枠２４とともに前記ガラス板２５内面の加飾フィルム２７に接着し、当該加飾フィルム２７を介してガラス板２５を接着保持している。
【００３６】
また、前記内箱フレーム２３の扉縁枠２４とガラス板２５の外周部とは図１１に示すように両面テープ３０を介して接着してある。これによって、前記ガラス板２５は発泡ウレタン２９に接着保持されるとともに両面テープ３０によって扉縁枠２４にも接着保持されることになる。
【００３７】
前記両面テープ３０は、ガラス板２５の上下水平縁部に沿って位置する水平テープ部３０ａと同ガラス板２５の左右縁部に沿って位置する垂直テープ部３０ｂとからなり、水平テープ部３０ａはガラス板２５の横幅ほぼいっぱいに位置し、その長辺側面に垂直テープ部３０ｂの短辺側面を突き当てるよう配置した形で加飾フィルム２７に貼り付けてある。
【００３８】
また、前記両面テープ３０は、図８に示すようにテープ内縁端３０ｃが扉縁枠２４の内縁端２４ｅを超えて中央部寄りの発泡ウレタン２９と加飾フィルム２７との接着面まで突出し、当該発泡ウレタン２９と加飾フィルム２７との間に位置する構成としてある。
【００３９】
さらに、前記両面テープ３０と加飾フィルム２７との間には、図８に示しているように、前記加飾フィルム２７に接着剤３１ａ（図９参照）を介して一体化した補強層３１が位置しており、加飾フィルム２７はこの補強層３１を介して発泡ウレタン２９に接着している。上記補強層３１は、前記発泡ウレタン２９から両面テープ３０の内縁端３０ｃを介して加飾フィルム２７に加わる発泡圧の局所偏荷重を抑制するもので、透明性が高く機械的強度の高い塩ビフィルム（ＰＶＣフィルム）を用いて構成してある。
【００４０】
ここで、上記扉１０は、その下部に手掛け部３２（図５参照）や運転状態を示す表示部３３（図６参照）が設けてあり、ガラス板２５の内面にはそれらの枠体３４が位置している。そして、上記枠体３４とガラス板２５との間には図１３に示すようにスポンジ等からなるシール部材３５を設けてシールしている。
【００４１】
上記シール部材３５はスポンジ等で形成されていてやわらかいため、図１３の拡大断面図に示すようにシール部材３５の角部はウレタンの発泡圧により押し込まれて当該部位Ｚ部分に発泡ウレタン２９が入り込み、ガラス板２５の加飾フィルム２７内面の補強層３１内面で薄く固形化している。この固形化部分は発泡ウレタンのスキン層が発達し弾性力がなく隣接する加飾フィルムに局所応力を発生し易い。
【００４２】
この発泡ウレタン２９が薄く固形化している部分のガラス板２５の加飾フィルム２７内面、すなわち補強層３１内面には剥離テープ３６が貼り付けてある。この剥離テープ３６は前記加飾フィルム２７の補強層３１に比べるとウレタンとの接着性が悪いポリエステル
テープ等で形成してあり、前記ガラス板２５の内面に発泡ウレタン２９が薄く入り込んで固形化する部位Ｚでは、前記加飾フィルム２７の補強層３１が直接発泡ウレタン２９と接着するのを防止するような形となっている。
【００４３】
また、扉１０は図１０に示すようにその外周のコーナ部においてもガラス板２５の内面に発泡ウレタン２９が薄く入り込んで固形化する部位があり、当該部分の加飾フィルム２７の補強層内面部分にも剥離テープ３６が設けてある。すなわち、扉外周を構成する扉縁枠２４は水平扉枠２４ａと垂直扉縦枠２４ｂとを接合して構成してあるが、この両扉縁枠の突合せ部分にもわずかな隙間ｔが生じているものがあり、この隙間ｔに発泡ウレタンが入り込んで薄く固形化するので、当該部分にも剥離テープ３６を貼り付けて隙間ｔを塞いでいる。
【００４４】
さらに、この扉１０は既述したようにガラス板２５を扉縁枠２４に両面テープ３０によって接着固定しているが、この両面テープ３０は、図１１に示すように、水平方向に貼り付けた水平テープ部３０ａと上下方向に貼り付けた垂直テープ部３０ｂのそれぞれの突合せ端縁にわずかな隙間ｔが形成されている場合があり、この隙間ｔに発泡ウレタンが入り込んで薄く固形化するので、当該部分にも剥離テープ３６を貼り付けて隙間ｔを塞いでいる。
【００４５】
なお、前記内箱フレーム２３の扉縁枠２４は従来例で説明したように着色ガラス板挿入部を有しておらず、前記ガラス板２５はその外周縁が図７に示すように扉縁枠２４の端面２４ｃより若干内側に位置しそのまま露出した状態の構成としてある。
【００４６】
加えてこの実施の形態では、図５、図６に示すように前記内箱フレーム２３の扉縁枠２４のうち、ガラス板２５の下端面に位置する部分には、当該ガラス板２５の前面から前方に飛び出すことのない程度の寸法でガラス板下端面に重合する透明前板支持片（以下、ガラス板支持片と称す）２４ｄを設け、ガラス板２５の重量を支えるように構成してある。
【００４７】
以上のように構成した冷蔵庫において、次にその作用効果について説明する。
【００４８】
まずこの冷蔵庫の扉１０は、上記ガラス板２５を発泡ウレタン２９で接着保持するとともに、ガラス板２５の外周部を両面テープ３０によって内箱フレーム２３の扉縁枠２４に接着してあるから、発泡ウレタン２９との接着に加え両面テープ３０を介して扉縁枠２４にも接着されることになる。よって、加飾フィルム２７を貼り付けた着色層付きのガラス板２５は発泡ウレタン２９と扉縁枠２４の両方に接着保持されることになり、長期間に亘ってガラス板２５の接着強度を維持保障することができる。
【００４９】
また、上記ガラス板２５は着色や模様等を印刷した加飾フィルム２７を貼り付けて構成してあるから、ガラス板に直接模様や着色を施したものに比べ多彩かつ繊細な模様や着色を施すことができ、その外観意匠は大きく向上する。
【００５０】
そして、この実施の形態ではガラス板２５の外周にこれを囲むガラス板挿入部を設けていないので、全面フラット感のあるすっきりとした外観にすることもでき、その意匠性は更に高まり、冷蔵庫の品位を大きく向上させることができる。
【００５１】
また、加飾フィルム２７の着色層２８−１は加飾フィルム２７に形成しているので、ローラ等によって形成することができ、ガラス板に直接着色層をシルク印刷するものでは不良率が高くて実質的には得られなかったようなヘアーラインライン２８−２等の精細な模様も形成できて、その意匠性を格段に向上させることができる。
【００５２】
しかしながらここで、上記加飾フィルム２７を用いると、既述したようにガラス板２５の内面に発泡ウレタンが薄く入り込んで固形化する部位、例えば扉外周コーナ部、手掛け部３２や表示部３３等の枠体３４外周部、ガラス板接着用の両面テープ３０部分で加飾フィルム２７が歪んでその加飾模様が変形するなどの事が起こることがある。
【００５３】
しかしながら、この発明では上記ガラス板２５の内面に発泡ウレタン２９が薄く入り込んで固形化する部位の加飾フィルム２７と発泡ウレタン２９との間には、ウレタンとの接着性が悪い剥離テープ３６を貼り付けて設けてあるので、発泡ウレタン２９の固形収縮による局所的な応力はこの剥離テープ３６で緩和するようになって加飾フィルム２７に加わるのを抑制することができる。したがって、加飾フィルム２７が局所応力で歪んで模様が変形等するのを防止でき、歩留まりを大きく向上させることができる。
【００５４】
具体的には、図５や図６に示す手掛け部３２や表示部３３の枠体３４の外周部分では図１３に示すようにシール部材３５を押し込んで発泡ウレタン２９が薄く固形化するが、この部分の加飾フィルム２７と発泡ウレタン２９との間には剥離テープ３６が設けてあるので、加飾フィルム２７が薄く固形化した発泡ウレタン２９の収縮によって局所応力を受けるのを抑制できる。したがって、表示部外周という目につきやすい部分での加飾フィルム２７の模様変形等の外観不良を防止でき、歩留まりが大きく向上する。
【００５５】
特にこの実施の形態では前記加飾フィルム２７の発泡ウレタン２９側には補強層３１を設けてあるので、この補強層３１による補強効果も相まって加飾フィルム２７の模様変形等の外観不良を効果的に抑制することができる。
【００５６】
また、上記剥離テープ３６は加飾フィルム２７の模様が変形等する部位にだけ設けてあるので、ガラス板２５と発泡ウレタン２９との接着面積の減少はごくわずかなものとすることができる。すなわち、剥離テープ３６を設けた部分ではガラス板２５は発泡ウレタン２９と接触しないので、発泡ウレタン２９に対する接着面積が減少するが、この剥離テープ３６を設けているのはガラス板２５の内面に発泡ウレタンが薄く入り込んで固形化する部位、具体的には表示部３３や手掛け部３２等の枠体３４外周部だけとなるので、ガラス板２５と発泡ウレタン２９との接着面積の減少はごくわずかなものとすることができる。
【００５７】
よって、発泡ウレタン２９による加飾フィルム２７の接着、すなわちガラス板２５の接着強度は従来とほぼ同レベル程度の強力なものに維持することができる。
【００５８】
また、上記と同様に扉外周コーナ部やガラス板接着用の両面テープ３０の突合せ部分にも図１０や図１１に示すように発泡ウレタンが入り込んで薄く固形化する隙間ｔを塞ぐように剥離テープ３６を貼り付けてあるから、この剥離テープ３６が図１２に示すように加飾フィルム２７の補強層３１と発泡ウレタン２９との間に位置して発泡ウレタン２９からの局所応力を緩和する。したがって、当該部分での加飾フィルム２７の歪による模様変形等を防止することができる。
【００５９】
そして、この部位の剥離テープ３６も前記隙間ｔを塞ぐ程度の小さなもので良いから、ガラス板２５と発泡ウレタン２９との接着面積の減少をごくわずかなものに抑えることができる。
【００６０】
したがって、上記の如く剥離テープ３６を設けていても、発泡ウレタン２９による加飾フィルム２７の接着強度、すなわちガラス板２５の接着強度は、従来とほぼ同レベル程度に維持することができ、ガラス板２５と発泡ウレタン２９との接着強度を維持しつつ加飾フィルム２７の模様変形等の外観不良を防止して歩留まりを向上させることができる。
【００６１】
更に、この実施の形態の扉は次のような作用効果も有している。
【００６２】
すなわち、上記ガラス板２５を扉縁枠２４に接着する両面テープ３０はガラス板２５の外周部を内箱フレーム２３の扉縁枠２４に接着しているから、扉にかかる水が扉端部から扉内方へ侵入するのを防止することにもなる。よって、この水の侵入による発泡ウレタン２９とガラス板２５との接着剥がれを確実に防止することができ、ガラス板２５の接着保持を長期間に亘って確実に保障することができる。
【００６３】
特に上記両面テープ３０は、ガラス板２５の上下水平縁部に沿って配置した水平テープ部３０ａの長辺側面に垂直テープ部３０ｂの短辺側面を突き当てるよう配置した構成としてあるから、扉端部に水が掛かってもその水のうち、特に重力によって内方へと侵入しやすい扉上部は両面テープ３０の水平テープ部３０ａがその全長に亘って切れ目なく位置することになるから、扉内方への水の侵入を確実に防止することができ、ガラス板２５の接着保持の信頼性を更に高めることができる。
【００６４】
加えて、上記ガラス板２５の外周部と内箱フレーム２３の扉縁枠２４とを接着する両面テープ３０は、図８で示しているように、テープ内縁端３０ｃが扉縁枠２４の内縁端２４ｅを超えて中央部よりの発泡ウレタン２９と加飾フィルム２７との接着面まで突出し、当該発泡ウレタン２９と加飾フィルム２７との間に位置する構成としてあるから、発泡ウレタン２９の扉縁枠内縁端２４ｅ部分での加飾フィルム２７の剥がれや裂けを防止することができる。
【００６５】
さらに加えて、この実施の形態では前記ヘアーラインヘアーライン加工を施した加飾フィルム２７の発泡ウレタン側の面に補強層３１を設けているので、発泡ウレタン２９と加飾フィルム２７との接着面まで突出している前記両面テープ３０の内縁端３０ｃを介して加飾フィルム２７に加わる発泡ウレタン２９の発泡圧による局所偏荷重を抑制し、当該局所偏荷重によって前記両面テープ３０の内縁端３０ｃに沿ってヘアーライン２８−２を横切るように生じる恐れのある線傷の発生を抑制しヘアーライン２８−２をきれいな状態のまま維持することができる。
【００６６】
またこの実施の形態では加飾フィルム２７をポリエチレンテレフタレートフィルムで形成しており、このポリエチレンテレフタレートは機械的強度が高いので、フィルム自体が発泡ウレタン２９の熱収縮に伴う経年変化で破れ、この破れた部分から加飾フィルム２７の発泡ウレタン２９への接着の剥離が経年的に進行するのを防止でき、その接着強度維持保障の信頼性を確保することができる。
【００６７】
（実施の形態２）
図１４は実施の形態２における扉の両面テープの突合せ部を示す説明図である。
【００６８】
この実施の形態２は両面テープ３０の突合せ端部にできる隙間ｔを無くして加飾フィルム２７の模様変形等による外観不良を防止したものである。
【００６９】
すなわち、この両面テープ３０は水平テープ部３０ａを垂直テープ部３０ｂの上端にオーバーラップさせて貼り付けたものである。
【００７０】
これにより、水平テープ部３０ａと垂直テープ部３０ｂの突合せによる隙間ｔを無くすることができる。したがって、前記実施の形態１で示したような剥離テープ３６を用いることなく加飾フィルム２７の歪、すなわち発泡ウレタン２９が薄く固形化することに起因して生じる加飾フィルム２７の模様変形等の外観不良を防止することができる。
【００７１】
以上、本発明に係る冷蔵庫について、上記実施の形態を用いて説明したが、本発明は、これに限定されるものではない。例えば、ガラス板は透明樹脂板に置き換えても良く、これによって軽量化による接着強度の更なる保障が可能となり、しかも低コスト化を図ることができる。このように、今回開示された実施の形態はすべての点で例示であって制限的なものではないと考えられるべきである。つまり本発明の範囲は上記した説明ではなくて特許請求の範囲によって示され、特許請求の範囲と均等の意味及び範囲内でのすべての変更が含まれることが意図される。
【産業上の利用可能性】
【００７２】
以上のように本発明は、高い意匠性を持ちつつ、歩留まりのよい扉付の冷蔵庫を提供することができ、一般用はもちろん業務用の冷蔵庫やワインクーラーにも幅広く適用できる。
【符号の説明】
【００７３】
１  冷蔵庫本体
２  外箱
３  内箱
４、２９  発泡ウレタン
５  冷蔵室
６  切替室
７  製氷室
８  冷凍室
９  野菜室
１０，１１，１２，１３，１４  扉
１６  冷却室
１７  冷却器
１８  送風ファン
１９  圧縮機
２０  放熱パイプ
２１  キャピラリーチューブ
２３  内箱フレーム
２４  扉縁枠
２４ａ  水平扉枠
２４ｂ  垂直扉縦枠
２４ｃ  端面
２４ｄ  透明前板支持片（ガラス板支持片）
２４ｅ  扉縁枠内縁端
２５  透明前板（ガラス板）
２６  粘着剤
２７  加飾フィルム
２８−１  着色層
２８−２  ヘアーライン
２９  発泡ウレタン
３０  両面テープ
３０ｃ  内縁端
３１  補強層
３２  手掛け部
３３  表示部
３４  枠体
３５  シール部材
３６  剥離テープ
ｔ  隙間
【図１】
2018004087.tif 000003
【図２】
2018004087.tif 000004
【図３】
2018004087.tif 000005
【図４】
2018004087.tif 000006
【図５】
2018004087.tif 000007
【図６】
2018004087.tif 000008
【図７】
2018004087.tif 000009
【図８】
2018004087.tif 000010
【図９】
2018004087.tif 000011
【図１０】
2018004087.tif 000012
【図１１】
2018004087.tif 000013
【図１２】
2018004087.tif 000014
【図１３】
2018004087.tif 000015
【図１４】
2018004087.tif 000016
【図１５】
2018004087.tif 000017